(57)【要約】【課題】便鉢に吐出した泡の劣化を抑制することができる吐泡装置および便器装置を提供する。【解決手段】吐泡装置１は、便器装置１０１の後部に載せるベースプレート７０に取付けられ、便鉢８０に泡を吐出する。泡生成部は泡を生成し、泡通流管は、泡生成部により生成された泡を通流する。泡通流管を通流する泡を吐出する吐泡口は、ベースプレート７０の底部７０ａに形成された開口部に配置され、便鉢８０の後部に泡を吐出する。【選択図】図２
2017214758.tif 000002
【特許請求の範囲】
【請求項１】
便器装置の後部に載せるベースプレートに取付けられ、便鉢に泡を吐出する吐泡装置において、
泡を生成する泡生成部と、
前記泡生成部により生成された泡を通流する泡通流管と、
前記ベースプレートの底部に形成された開口部に配置され、前記泡通流管を通流する泡を吐出する吐泡口と、
を備え、
前記吐泡口から前記便鉢の後部に泡を吐出することを特徴とする吐泡装置。
【請求項２】
前記吐泡口は、前記泡通流管の下流端部に取付けられたノズル部に設けられており、
前記ノズル部は、下端に前記吐泡口が形成された上下方向を軸方向とする筒状部分を有することを特徴とする請求項１に記載の吐泡装置。
【請求項３】
前記開口部から立ち上がる隔壁の外側面に前記筒状部分の周側面が接触していることを特徴とする請求項２に記載の吐泡装置。
【請求項４】
前記泡生成部は吸入する空気を水に混合して泡を生成し、
前記泡生成部に接続される空気吸入管を備え、
前記空気吸入管が前記ノズル部に接続されていることを特徴とする請求項２または３に記載の吐泡装置。
【請求項５】
前記便鉢の後部を臨むように空気吸込口が前記ノズル部に形成されていることを特徴とする請求項４に記載の吐泡装置。
【請求項６】
前記空気吸込口が前記吐泡口よりも高い位置に設けられていることを特徴とする請求項５に記載の吐泡装置。
【請求項７】
請求項１から６のいずれか１項に記載の吐泡装置と、
前記吐泡装置を取付けるベースプレートと、
前記吐泡装置から泡が吐出される便鉢と、
を備えることを特徴とする便器装置。
【請求項８】
前記便鉢の後部の上部に前記吐泡装置から泡が吐出されることを特徴とする請求項７に記載の便器装置。
【請求項９】
前記便鉢内に形成される貯水面に流れ込んだ泡が、前記貯水面の後部から前部に向かって流れることを特徴とする請求項７または８に記載の便器装置。
【発明の詳細な説明】
【技術分野】
【０００１】
本発明は、便鉢に泡を吐出する吐泡装置および便器装置に関する。
【背景技術】
【０００２】
従来より、便器の便鉢に泡を吐出するように構成された便器装置が知られている。便器装置は、泡を便鉢に吐出し、汚物を受ける便鉢の受け面部と汚物との間に泡が介在することによって便鉢への汚物の付着を防止する。
【０００３】
例えば、特許文献１には、泡を噴射するノズル部を便鉢の後部に設けた便器装置が開示されている。この便器装置は、ノズル部から便鉢の受け面部の前部へ泡を噴射して便鉢内に泡の層を形成する。
【先行技術文献】
【特許文献】
【０００４】
【特許文献１】特開２０００−１０４３１９号公報
【発明の概要】
【発明が解決しようとする課題】
【０００５】
しかしながら、特許文献１に記載の便器装置では、便鉢の後部に設けたノズル部から便鉢の受け面部の前部へ泡を噴射するため、泡の到達距離が遠く、泡を勢いよくノズル部から噴射させる必要がある。このため、ノズル部から噴射された泡は、受け面部への衝突によって潰れたり、衝突時に受ける力によって隣接する泡の間の膜が破れて大きな泡に再生されてしまうという問題点があった。また、ノズル部から勢いよく噴射された泡が受け面部に当たって飛散してしまう可能性もある。
【０００６】
また、便鉢内に形成された泡の層は、便鉢内に注がれる小便による便鉢内の液体の飛散や音の発生を抑制する効果があるとされているが、泡が潰れたり、大きな泡に再生されると、飛散防止や消音の効果が低下してしまうという問題点もあった。
【０００７】
本発明は、斯かる事情に鑑みてなされたものであり、その目的とするところは、便鉢に吐出した泡の劣化を抑制することができる吐泡装置および便器装置を提供することにある。
【課題を解決するための手段】
【０００８】
本発明に係る吐泡装置は、便器装置の後部に載せるベースプレートに取付けられ、便鉢に泡を吐出する吐泡装置において、泡を生成する泡生成部と、前記泡生成部により生成された泡を通流する泡通流管と、前記ベースプレートの底部に形成された開口部に配置され、前記泡通流管を通流する泡を吐出する吐泡口と、を備え、前記吐泡口から前記便鉢の後部に泡を吐出することを特徴とする。
【０００９】
本発明にあっては、吐泡装置は、便器装置の後部に載せるベースプレートに取付けられ、便鉢に泡を吐出する。吐泡装置は、泡生成部により泡を生成し、泡通流管により泡を通流する。泡通流管を通流する泡を吐出する吐泡口は、ベースプレートの底部に形成された開口部に配置されており、便鉢の後部に泡を吐出する。これにより、吐泡装置から吐出した泡の劣化を抑制することができる。
【００１０】
本発明に係る便器装置は、上述の吐泡装置と、前記吐泡装置を取付けるベースプレートと、前記吐泡装置から泡が吐出される便鉢と、を備えることを特徴とする。
【００１１】
本発明にあっては、便器装置は、ベースプレートに上述の吐泡装置が取付けられ、吐泡装置から便鉢に泡が吐出されるので、便鉢に形成される泡の層の劣化を抑制することができる。
【発明の効果】
【００１２】
本発明によれば、吐泡装置は、便器装置の後部に載せるベースプレートに取付けられ、便鉢に泡を吐出する。吐泡装置は、泡生成部により泡を生成し、泡通流管により泡を通流する。泡通流管を通流する泡を吐出する吐泡口は、ベースプレートの底部に形成された開口部に配置されており、便鉢の後部に泡を吐出するので、吐泡装置から吐出した泡の劣化を抑制することができる。
【図面の簡単な説明】
【００１３】
【図１】実施形態に係る便器装置の外観を示す斜視図である。
【図２】便器装置の外観を示す別の角度から見た斜視図である。
【図３】便器の外観を示す斜視図である。
【図４】吐泡装置の外観を示す斜視図である。
【図５】吐泡装置の平面図である。
【図６】吐泡装置の構成を示す機能ブロック図である。
【図７】図５に示すＡ―Ａ線によるノズル部の断面図である。
【図８】ノズル部を下方から見た端面図である。
【図９】ベースプレートおよびノズル部を部分的に拡大した平面図である。
【図１０】ベースプレートおよびノズル部の底面図である。
【図１１】図９に示すＢ−Ｂ線によるベースプレートおよびノズル部の断面図である。
【図１２】ベースプレートおよびノズル部の正面図である。
【図１３】図１２に示すＣ−Ｃ線によるベースプレートおよびノズル部の断面図である。
【図１４】吐泡装置による泡の吐出状態を説明するための模式図である。
【図１５】便鉢に吐出された泡の広がり方を説明するための模式図である。
【発明を実施するための形態】
【００１４】
以下、本発明を好適な実施の形態をもとに図１から図１５を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
図１は実施形態に係る便器装置１０１の外観を示す斜視図、図２は便器装置１０１の外観を示す別の角度から見た斜視図である。図１は便器装置１０１を前方右斜め上から、図２は便器装置１０１を前方左斜め上から見た図である。便器装置１０１は、吐泡装置１、便器１００およびベースプレート７０を備える。便器１００は、前端Ｆ側に便鉢８０、該便鉢８０の後方に機器収容部９０を有する。機器収容部９０には、吐泡装置１のほか、便器洗浄装置、臀部を洗浄する局部洗浄機器、便座を暖める便座暖房機器、便鉢８０内へ温風を送出する送風機器等の機器（以下、「各種機器」と表記する。）が収容される。
【００１６】
ベースプレート７０は、深皿状をなし、各種機器を搭載すべく壁体によって区画され、各種機器を取付けるためのねじ穴が適宜設けられている。ベースプレート７０は底部７０ａが機器収容部９０の上部に嵌まり、周側部７０ｂが機器収容部９０の上端に載せられ、ねじ等の締結具によって便器１００に固定される。ベースプレート７０の前端部７０ｃは、便鉢８０の後部上方に張り出している。
【００１７】
便器装置１０１は、使用時において、下水側からの臭気を遮断するための水が便鉢８０の底部に貯められ、貯水面８５が形成される。吐泡装置１は、泡を生成し、ノズル部１７から便鉢８０内に吐出し、貯水面８５の上に泡の層を形成するように機能する。吐泡装置１が生成する泡は、洗剤等の発泡剤を含むものであってもよいし、発泡剤を含まない気泡水であってもよい。貯水面８５の上に形成された泡の層は、便鉢８０内に注がれる小便による飛沫防止と消音、および汚物の便鉢８０への付着を防止する。ベースプレート７０は、前端部７０ｃにおける右寄りの底部７０ａに、後述する開口部７１が設けられている。ベースプレート７０の底部７０ａの前部は、便鉢８０の後述する受け面部８０ａの後部側における上部からリム通水路８１ｂに対向している。吐泡装置１のノズル部１７は、ベースプレート７０の開口部７１に嵌め込まれ、締結具によってベースプレート７０に固定されている。ノズル部１７には後述する吐泡口２２が形成されており、該吐泡口２２は、便鉢８０の受け面部８０ａの後部側における上部からリム通水路８１ｂの範囲のほぼ直上に設けられている。
【００１８】
図３は便器１００の外観を示す斜視図である。便器１００は、上端の周縁部分がほぼ同じ高さにあり、便鉢８０と機器収容部９０との間に周縁部分から一段下がった凹所９５が形成されている。
【００１９】
便鉢８０は汚物を受けるための鉢状の受け面部８０ａと、上端開口部の内周部に形成されたリム部８１を有する。図３に示すリム部８１には、第１リム吐水孔８２ａおよび第２リム吐水孔８２ｂから吐出される水を棚部８１ａで受けて一方向に旋回させるように導くリム通水路８１ｂが形成される。棚部８１ａは、棚部８１ａの下方に連なる受け面部８０ａの内周面部分より緩やかな勾配となるように形成される。また、リム通水路８１ｂは、便鉢８０の上端内周部のほぼ全周に形成されている。リム通水路８１ｂは、前端Ｆ側および左右両側でほぼ同じ高さの位置に、後部側で一段下がった低い位置に形成されており、左右両側と後部側は傾斜面によって接続されている。第１リム吐水孔８２ａは、前端Ｆ側から見て便鉢８０の左側のリム部８１において、前方向に臨むように設けられている。また、第２リム吐水孔８２ｂは、便鉢８０の後部右側のリム部８１において、左方向に臨むように設けられている。
【００２０】
第１リム吐水孔８２ａおよび第２リム吐水孔８２ｂは、図示しない便器洗浄装置から供給された水を便鉢８０内に吐出する。第１リム吐水孔８２ａから吐出された水は、リム部８１のリム通水路８１ｂを左側から前側を通って右側に通流し、一方向に旋回しつつ便鉢８０内を受け面部８０ａに沿って流下する。第２リム吐水孔８２ｂから吐出された水は、リム部８１のリム通水路８１ｂを後部側から左側へと通流し、第１リム吐水孔８２ａから吐出された水と合流し、一方向に旋回しつつ便鉢８０内を受け面部８０ａに沿って流下する。受け面部８０ａに沿って流下した水は、便鉢８０の底部に接続された排水通路から汚物とともに排出される。
【００２１】
機器収容部９０は、便器１００の後部に設けた左右壁体９０ａおよび後壁体９０ｂを有し、前方は凹所９５に開口している。左右壁体９０ａおよび後壁体９０ｂは、便器１００の底部から上端部に亘って設けられている。機器収容部９０は、左右壁体９０ａおよび後壁体９０ｂで囲む空間および凹所９５上方の空間に、ベースプレート７０に取付けた吐泡装置１および各種機器を収容する。吐泡装置１および各種機器は、洗浄水の供給路と機械的に干渉することなく、アクセス性を考慮して機器収容部９０の上端部側に収容することが好ましい。
【００２２】
図４は吐泡装置１の外観を示す斜視図、図５は吐泡装置１の平面図、図６は吐泡装置１の構成を示す機能ブロック図である。吐泡装置１は、給水部１１、泡生成部１２、洗剤タンク１３、洗剤ポンプ１４およびノズル部１７を備える。給水部１１は、開閉バルブ１１ａを有し、該開閉バルブ１１ａが開状態のときに給水源からの水を泡生成部１２に供給する。洗剤タンク１３は、洗剤を貯留している。洗剤は、洗剤ポンプ１４の稼働によって、洗剤タンク１３から洗剤通流管１３ａを通して洗剤ポンプ１４に吸引され、洗剤ポンプ１４から洗剤通流管１４ａを通して泡生成部１２に供給される。
【００２３】
泡生成部１２は、例えばエゼクタであり、給水部１１からの水、吸入する空気、および洗剤タンク１３からの洗剤を混合して泡を生成する。泡生成部１２は、流路の中途部に流路径が絞られた絞り部１２ａが形成されており、絞り部１２ａに空気を吸い込むための吸気口１２ｂを有する。泡生成部１２は、絞り部１２ａの上流側と下流側の水圧差によって吸気口１２ｂから空気を吸い込み、給水部１１からの水に空気を混入させる。空気が混入した水に洗剤を加えることによって発泡性が高まり、粒径が細かく持続性が高い泡を生成することができる。
【００２４】
泡生成部１２の吸気口１２ｂには、空気吸入管１５が接続されている。空気吸入管１５は、一端側が泡生成部１２の吸気口１２ｂに、他端側がノズル部１７に接続されており、ノズル部１７に設けた空気吸込口３２から空気を吸い込み、泡生成部１２の吸気口１２ｂへ空気を通流させる。また、泡生成部１２で生成された泡は、泡通流管１６を通してノズル部１７に送られ、ノズル部１７から吐出される。
【００２５】
図７は図５に示すＡ―Ａ線によるノズル部１７の断面図であり、図８はノズル部１７を下方から見た端面図である。ノズル部１７は、泡側接続部２０、泡通流路２１、吐泡口２２、空気側接続部３０、空気通流路３１および空気吸込口３２を備える。泡側接続部２０は、略水平方向を軸方向とする円筒状をなし、泡通流管１６の端部が外挿されて接続される。
【００２６】
泡通流路２１は、泡側接続部２０側の内部において略水平方向を軸方向として延びる流路２１ａと、流路２１ａから下方向に屈曲し、上下方向を軸方向として下方向に延びる流路２１ｂとで構成される。流路２１ｂは、上下方向を軸方向とする筒状部分１７ａの内部に形成されている。また、筒状部分１７ａの下端には、流路２１ｂの端部となる吐泡口２２が形成されている。吐泡口２２は、下方向を臨み、便鉢８０の受け面部８０ａの後部側における上部からリム通水路８１ｂの範囲のほぼ直上に設けられている。
【００２７】
図８に示す流路２１ｂの断面および吐泡口２２の形状は台形状をベースとした多角形状としてあるが、任意の形状であって良い。尚、泡が吐出する際に生じる流速の均一性や、流路２１ｂの内側面から受ける抵抗を考慮すると、流路２１ｂの断面および吐泡口２２の形状は、円形若しくは楕円形状であることが好ましい。
【００２８】
空気側接続部３０は、略水平方向を軸方向とする円筒状をなし、空気吸入管１５の端部が外挿されて接続される。空気通流路３１は、空気側接続部３０側の内部において略水平方向を軸方向として延びる流路３１ａと、流路３１ａから下方向に屈曲し、上下方向を軸方向として下方向に延びる流路３１ｂとで構成され、流路３１ｂの端部において下方向を臨む空気吸込口３２が形成されている。
【００２９】
空気吸込口３２は、吐泡口２２と同様に、便鉢８０の受け面部８０ａの後部側における上部のほぼ直上からリム通水路８１ｂの範囲のほぼ直上に設けられている。また、空気吸込口３２は、吐泡口２２よりも上方に後退した位置に設けられている。
【００３０】
次に、ノズル部１７のベースプレート７０への配置について説明する。図９はベースプレート７０およびノズル部１７を部分的に拡大した平面図であり、図１０はベースプレート７０およびノズル部１７の底面図であり、図１１は図９に示すＢ−Ｂ線によるベースプレート７０およびノズル部１７の断面図である。ベースプレート７０は、前端部７０ｃにおける底部７０ａを切り欠くようにして形成した開口部７１を有する。開口部７１は、便鉢８０の受け面部８０ａの後部側における上部からリム通水路８１ｂの範囲のほぼ直上に設けられている。ベースプレート７０には、開口部７１の縁部から上方に立ち上がる隔壁７２が設けられている。隔壁７２は、開口部７１の後方側および左右両側を覆うように適宜屈曲または湾曲しており、両端が前側壁７３に接続される。
【００３１】
ノズル部１７は、筒状部分１７ａがベースプレート７０の開口部７１に嵌め込まれ、筒状部分１７ａの周側面がベースプレート７０の隔壁７２の外側面７２ａに接触している。図１２はベースプレート７０およびノズル部１７の正面図である。ノズル部１７の吐泡口２２は、ベースプレート７０の底部７０ａの下面よりも高い位置に設けられている。空気吸込口３２は、吐泡口２２よりもさらに一段高い位置に設けられている。
【００３２】
ベースプレート７０の前方から、ベースプレート７０の前面に飛散する洗浄水や小便等の液体は、ノズル部１７が配置された部分においては、隔壁７２の外側面７２ａに当たって便鉢８０へ流れ落ちる。また、ノズル部１７の筒状部分１７ａの周側面がベースプレート７０の隔壁７２の外側面７２ａに接触しているため、ベースプレート７０の開口部７１に飛散する液体が、ベースプレート７０の内部側に入り込み難くなっている。
【００３３】
また、ノズル部１７は、泡生成部１２の吸気口１２ｂに接続される空気吸込口３２を有しており、給水部１１からの水が吸気口１２ｂに通流する故障が生じた場合でも、空気吸込口３２から便鉢８０内へ排出され、ベースプレート７０内への漏水を防ぐ。
【００３４】
また、ノズル部１７は、吐泡口２２から泡を吐出すると同時に空気吸込口３２から空気を吸い込む。ノズル部１７において、空気吸込口３２は、吐泡口２２よりも一段高い位置に設けられているので、吐泡口２２から吐出した泡を空気吸込口３２から吸い込むことが防止される。
【００３５】
図１３は図１２に示すＣ−Ｃ線によるベースプレート７０およびノズル部１７の断面図である。図１３には、便鉢８０との位置関係を説明するため便鉢８０部分の断面も表している。ベースプレート７０の底部７０ａの前部は、便鉢８０の受け面部８０ａの後部側における上部からリム通水路８１ｂに対向している。吐泡口２２は、ベースプレート７０の底部７０ａの前部に配置されており、便鉢８０の受け面部８０ａの後部側における上部からリム通水路８１ｂの範囲のほぼ直上に設けられている。
【００３６】
次に、吐泡装置１による泡の吐出について説明する。図１４は吐泡装置１による泡の吐出状態を説明するための模式図である。吐泡口２２は、上述のように下方向を臨み、ノズル部１７内に形成される泡通流路２１の下流側の流路２１ｂが上下方向に形成されているため、図１４に示すように泡５ａが直下に向けて吐出される。泡５ａは、便鉢８０の受け面部８０ａの後部側における上部からリム通水路８１ｂの範囲に落下し、便鉢８０の受け面部８０ａの傾斜面に合わせて泡５ｂのように広がりながら流下する。
【００３７】
吐泡口２２から吐出する泡は、便鉢８０の後部に落下させれば良く、前部に向けて噴射させるような流速を与える必要がない。したがって、便鉢８０の受け面部８０ａやリム通水路８１ｂに落下して衝突したときに泡が受ける力を小さくすることができるため、泡の潰れや、泡同士の膜が破れて大きな泡となることが生じ難く、便鉢に供給される泡の劣化を抑制することができる。
【００３８】
また、便器１００は、上端周縁部から一段下がった凹所９５を有しているため、ベースプレート７０の前端部７０ｃにおける底部７０ａがより低い位置に設けられる。吐泡装置１のノズル部１７は、ベースプレート７０の前端部７０ｃにおける底部７０ａに設けた開口部７１に設けられており、凹所９５があることによって、より低い位置に配置することができ、便鉢８０への泡の落下距離を小さくすることができる。
【００３９】
上述のとおり、便鉢８０の上端内周部のほぼ全周に形成されたリム通水路８１ｂにおいて、棚部８１ａは下方に連なる受け面部８０ａより緩やかな勾配を有する。棚部８１ａと受け面部８０ａとが滑らかに接続されているため、受け面部８０ａの上部は、中途部に比較して傾斜が緩やかになっている。図１４に示すように泡５ｂは、受け面部８０ａの上部およびリム通水路８１ｂにおいて、落下点から下方向に流れ落ちる部分と、左右方向および上方向に広がる部分とが生じる。中途部に比較して傾斜が緩やかな受け面部８０ａの上部からリム通水路８１ｂの範囲に泡が吐出されるため、泡５ｂは、落下点から上方向にも広がり易くなっている。
【００４０】
また上述のとおり、リム通水路８１ｂは、前端Ｆ側および左右両側でほぼ同じ高さの位置に、後部側で一段下がった低い位置に形成されている。このため、受け面部８０ａの後部右寄りの位置に落下した泡は、リム通水路８１ｂが一段低い位置にある後部側に流れやすく、右方向よりも後部側から左方向に広がり易くなっている。
【００４１】
図１５は便鉢８０に吐出された泡の広がり方を説明するための模式図である。図１５は便器装置１０１を上方から平面視したものである。泡５ｂは、便鉢８０の貯水面８５の上に貯水面８５を覆うように形成される。受け面部８０ａの後部からリム通水路８１ｂの範囲に落下した泡は、上述のように右方向よりも、後部側から左方向に広がり易くなっているため、便鉢８０内の貯水面８５の後部側の領域全体に流れ込む。貯水面８５の後部側の領域に流れ込んだ泡は、図中に示す矢印のように後方から前方へほぼ均一に進行して流れ、貯水面８５を覆う泡の層を形成する。泡が後方から前方へ進行することで、泡同士の干渉が少なく、泡の潰れや大きな泡への再生が生じ難いので、泡の劣化を抑えることができる。
【００４２】
次に、実施形態に係る吐泡装置１および便器装置１０１の特徴を説明する。
本発明の実施形態に係る吐泡装置１は、便器装置１０１の後部に載せるベースプレート７０に取付けられ、便鉢８０に泡を吐出する。泡生成部１２は泡を生成し、泡通流管１６は、泡生成部１２により生成された泡を通流する。泡通流管１６を通流する泡を吐出する吐泡口２２は、ベースプレート７０の底部７０ａに形成された開口部７１に配置され、便鉢８０の後部に泡を吐出する。これにより、吐泡装置１は、吐出する泡に対して前部に向けて噴射させるような流速を与える必要がない。したがって、便鉢８０に落下して衝突したときに泡が受ける力を小さくすることができるので、便鉢８０に供給される泡の劣化を抑制することができる。
【００４３】
また吐泡装置１は、吐泡口２２が泡通流管１６の下流端部に取付けられたノズル部１７に設けられている。ノズル部１７は、下端に吐泡口２２が形成された上下方向を軸方向とする筒状部分１７ａを有する。これにより、吐泡装置１は、ノズル部１７の吐泡口２２から下方に向けて泡を吐出することができる。
【００４４】
また吐泡装置１は、ベースプレート７０の開口部７１から立ち上がる隔壁７２の外側面７２ａに筒状部分１７ａの周側面が接触している。このため、ベースプレート７０の開口部７１に飛散する液体が、ベースプレート７０の内部側に入り込み難い。
【００４５】
また吐泡装置１は、泡生成部１２が吸気口１２ｂから空気を吸い込んで、水に混合して泡を生成する。空気吸入管１５は、一端が泡生成部１２の吸気口１２ｂに接続され、他端がノズル部１７に接続されている。これにより、空気吸入管１５の他端の固定が容易となる。
【００４６】
また吐泡装置１は、ノズル部１７に、便鉢８０の後部を臨むように空気吸込口３２が形成されている。これにより、給水部１１からの水が吸気口１２ｂに通流する故障が生じた場合でも、空気吸込口３２から便鉢８０内に排出され、ベースプレート７０内への漏水を防ぐことができる。
【００４７】
また吐泡装置１は、空気吸込口３２が吐泡口２２よりも高い位置に設けられているので、吐泡口２２から吐出した泡が空気吸込口３２から吸い込まれることが防止される。
【００４８】
また便器装置１０１は、上述の吐泡装置１と、吐泡装置１を取付けるベースプレート７０と、吐泡装置１から泡が吐出される便鉢８０と、を備える。これにより、便鉢８０に形成される泡の層の劣化を抑制することができる。
【００４９】
また便器装置１０１は、便鉢８０の後部の上部に吐泡装置１から泡が吐出される。これにより、便鉢８０の後部に落下した泡が、便鉢８０の後部において上方向および左右方向に広がりやすくなる。
【００５０】
また便器装置１０１は、便鉢８０内に形成される貯水面８５に流れ込んだ泡が、貯水面８５の後部から前部に向かって流れる。これにより、泡同士の干渉が少なく、泡の潰れや大きな泡への再生が生じ難いので、泡の劣化を抑えることができる。
【００５１】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５２】
１  吐泡装置、  １２  泡生成部、  １５  空気吸入管、  １６  泡通流管、
１７  ノズル部、  １７ａ  筒状部分、  ２２  吐泡口、  ３２  空気吸込口、
７０  ベースプレート、  底部  ７０ａ、  ７１  開口部、  ７２  隔壁、
８０  便鉢、  ８５  貯水面、  １０１  便器装置。
【図１】
2017214758.tif 000003
【図２】
2017214758.tif 000004
【図３】
2017214758.tif 000005
【図４】
2017214758.tif 000006
【図５】
2017214758.tif 000007
【図６】
2017214758.tif 000008
【図７】
2017214758.tif 000009
【図８】
2017214758.tif 000010
【図９】
2017214758.tif 000011
【図１０】
2017214758.tif 000012
【図１１】
2017214758.tif 000013
【図１２】
2017214758.tif 000014
【図１３】
2017214758.tif 000015
【図１４】
2017214758.tif 000016
【図１５】
2017214758.tif 000017